(57)【特許請求の範囲】
【請求項１】
移動性管理エンティティ（ｍｏｂｉｌｉｔｙ  ｍａｎａｇｅｍｅｎｔ  ｅｎｔｉｔｙ，ＭＭＥ）での通信方法において、
基地局から第１要請メッセージを受信する段階と、
前記ＭＭＥが同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）リストに含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、ホーム加入者サーバー（ｈｏｍｅ  ｓｕｂｓｃｒｉｂｅｒ  ｓｅｒｖｅｒ，ＨＳＳ）へ前記同等ＰＬＭＮリストを含む第２要請メッセージを伝送する段階と、
前記ＨＳＳから前記同等ＰＬＭＮリストに対するＣＳＧ加入情報を含む応答メッセージを受信する段階と
を含む通信方法。
【請求項２】
前記同等ＰＬＭＮリストは、端末がセル選択、セル再選択、又はハンドオーバー時に同等に考慮されるＰＬＭＮのリストであることを特徴とする請求項１に記載の通信方法。
【請求項３】
ターゲットＰＬＭＮの加入情報に基づいて前記ＭＭＥがｉｎｔｅｒ−ＰＬＭＮハンドオーバーを支援する場合、前記第２要請メッセージは前記同等ＰＬＭＮリストを含むことを特徴とする請求項１に記載の通信方法。
【請求項４】
ターゲットセルのＣＳＧ識別子（ＩＤ）又はターゲットＰＬＭＮ情報のうちの少なくとも１つを含むハンドオーバー要請メッセージを前記基地局から受信する段階と、
前記同等ＰＬＭＮリストに対する前記ＣＳＧ加入情報をベースに端末のＣＳＧメンバーシップを認証する段階と
をさらに含むことを特徴とする請求項１に記載の通信方法。
【請求項５】
前記ＣＳＧメンバーシップを認証する段階は、
前記同等ＰＬＭＮリストに対するＣＳＧ加入情報に基づいて前記ハンドオーバーが許容されない場合、前記ハンドオーバーを拒絶する段階を含むことを特徴とする請求項４に記載の通信方法。
【請求項６】
前記第２要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１に記載の通信方法。
【請求項７】
ホーム加入者サーバー（ｈｏｍｅ  ｓｕｂｓｃｒｉｂｅｒ  ｓｅｒｖｅｒ，ＨＳＳ）での通信方法において、
移動性管理エンティティ（ｍｏｂｉｌｉｔｙ  ｍａｎａｇｅｍｅｎｔ  ｅｎｔｉｔｙ，ＭＭＥ）が同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）リストに含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、前記ＭＭＥから前記同等ＰＬＭＮリストを含む要請メッセージを受信する段階と、
前記同等ＰＬＭＮリストに対するＣＳＧ加入情報を含む応答メッセージを前記ＭＭＥへ伝送する段階と
を含む通信方法。
【請求項８】
前記同等ＰＬＭＮリストは、端末がセル選択、セル再選択又はハンドオーバー時に同等に考慮されるＰＬＭＮのリストであることを特徴とする請求項７に記載の通信方法。
【請求項９】
ターゲットＰＬＭＮの加入情報に基づいて前記ＭＭＥがｉｎｔｅｒ−ＰＬＭＮハンドオーバーを支援する場合、前記要請メッセージは前記同等ＰＬＭＮリストを含むことを特徴とする請求項７に記載の通信方法。
【請求項１０】
前記要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項７に記載の通信方法。
【請求項１１】
前記ＭＭＥが基地局からターゲットセルのＣＳＧ識別子（ＩＤ）又はターゲットＰＬＭＮ情報のうちの少なくとも１つを含むハンドオーバー要請メッセージを受信する場合、前記同等ＰＬＭＮリストに対するＣＳＧ加入情報は、ターゲットセルで端末のＣＳＧメンバーシップ（ｍｅｍｂｅｒｓｈｉｐ）を認証するのに使用されることを特徴とする請求項７に記載の通信方法。
【請求項１２】
前記同等ＰＬＭＮリストに対する前記ＣＳＧ加入情報に基づいて前記ハンドオーバーが許容されない場合、前記ハンドオーバーは拒絶されることを特徴とする請求項１１に記載の通信方法。
【請求項１３】
移動通信システムの移動性管理エンティティ（ｍｏｂｉｌｉｔｙ  ｍａｎａｇｅｍｅｎｔ  ｅｎｔｉｔｙ，ＭＭＥ）において、
信号を送受信する送受信部と、
基地局から第１要請メッセージを受信して、前記ＭＭＥが同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）リストに含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、ホーム加入者サーバー（ｈｏｍｅ  ｓｕｂｓｃｒｉｂｅｒ  ｓｅｒｖｅｒ，ＨＳＳ）へ前記同等ＰＬＭＮリストを含む第２要請メッセージを伝送し、前記ＨＳＳから前記同等ＰＬＭＮリストに対するＣＳＧ加入情報を含む応答メッセージを受信するように前記送受信部を制御する制御部と
を含むＭＭＥ。
【請求項１４】
前記同等ＰＬＭＮリストは、端末がセル選択、セル再選択又はハンドオーバー時に同等に考慮されるＰＬＭＮのリストであることを特徴とする請求項１３に記載のＭＭＥ。
【請求項１５】
ターゲットＰＬＭＮの加入情報に基づいて前記ＭＭＥがｉｎｔｅｒ−ＰＬＭＮハンドオーバーを支援する場合、前記第２要請メッセージは、前記同等ＰＬＭＮリストを含むことを特徴とする請求項１３に記載のＭＭＥ。
【請求項１６】
前記制御部は、
ターゲットセルのＣＳＧ識別子（ＩＤ）又はターゲットＰＬＭＮ情報のうちの少なくとも１つを含むハンドオーバー要請メッセージを前記基地局から受信するように前記送受信部を制御し、前記同等ＰＬＭＮリストに対する前記ＣＳＧ加入情報に基づいて端末のＣＳＧメンバーシップ（ｍｅｍｂｅｒｓｈｉｐ）を認証することを特徴とする請求項１３に記載のＭＭＥ。
【請求項１７】
前記制御部は、
前記同等ＰＬＭＮリストに対するＣＳＧ加入情報に基づいて前記ハンドオーバーが許容されない場合、前記ハンドオーバーを拒絶することを特徴とする請求項１６に記載のＭＭＥ。
【請求項１８】
前記第２要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１３に記載のＭＭＥ。
【請求項１９】
移動通信システムのホーム加入者サーバー（ｈｏｍｅ  ｓｕｂｓｃｒｉｂｅｒ  ｓｅｒｖｅｒ，ＨＳＳ）において、
信号を送受信する送受信部と、
移動性管理エンティティ（ｍｏｂｉｌｉｔｙ  ｍａｎａｇｅｍｅｎｔ  ｅｎｔｉｔｙ，ＭＭＥ）が同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）リストに含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、前記ＭＭＥから前記同等ＰＬＭＮリストを含む要請メッセージを受信して、前記同等ＰＬＭＮリストに対するＣＳＧ加入情報を含む応答メッセージを前記ＭＭＥへ伝送するように前記送受信部と
を制御することを特徴とするＨＳＳ。
【請求項２０】
前記同等ＰＬＭＮリストは、端末がセル選択、セル再選択又はハンドオーバー時に同等に考慮されるＰＬＭＮのリストであることを特徴とする請求項１９に記載のＨＳＳ。
【請求項２１】
ターゲットＰＬＭＮの加入情報に基づいて、前記ＭＭＥがｉｎｔｅｒ−ＰＬＭＮハンドオーバーを支援する場合、前記要請メッセージは、前記同等ＰＬＭＮリストを含むことを特徴とする請求項１９に記載のＨＳＳ。
【請求項２２】
前記要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１９に記載のＨＳＳ。
【請求項２３】
前記ＭＭＥが基地局からターゲットセルのＣＳＧ識別子（ＩＤ）又はターゲットＰＬＭＮ情報のうちの少なくとも１つを含むハンドオーバー要請メッセージを受信する場合、前記同等ＰＬＭＮリストに対するＣＳＧ加入情報は、ターゲットセルで端末のＣＳＧメンバーシップ（ｍｅｍｂｅｒｓｈｉｐ）を認証するのに使用されることを特徴とする請求項１９に記載のＨＳＳ。
【請求項２４】
前記同等ＰＬＭＮリストに対する前記ＣＳＧ加入情報に基づいて前記ハンドオーバーが許容されない場合、前記ハンドオーバーは拒絶されることを特徴とする請求項２３に記載のＨＳＳ。
【発明の詳細な説明】
【技術分野】
【０００１】
本発明は、ＣＳＧ(Ｃｌｏｓｅｄ Ｓｕｂｓｃｒｉｂｅｒ Ｇｒｏｕｐ)セルへのｉｎｔｅｒ-ＰＬＭＮハンドオーバー制御方法及び装置に関し、特に、ＰＬＭＮが変化されるｉｎｔｅｒ-ＰＬＭＮハンドオーバーを制御するためにｅｑｕｉｖａｌｅｎｔ ＰＬＭＮに対するＣＳＧリスト情報を獲得して、これを基づいてハンドオーバーの進行の許容を制御する方法及び装置に関する。
【背景技術】
【０００２】
ＣＳＧ(Ｃｌｏｓｅｄ Ｓｕｂｓｃｒｉｂｅｒ Ｇｒｏｕｐ)とは、特定セルにアクセスが許容される端末グループとして、ＣＳＧ ＩＤを有するＣＳＧセルはそのＣＳＧ ＩＤをａｌｌｏｗｅｄ ＣＳＧリスト内に含む端末に限ってアクセスが可能である。例えば、フェムト(Ｆｅｍｔｏ)を家に設けた時、その家に居住する人々だけそのフェムトにアクセスすることを許容するためにフェムトのセルにＣＳＧ ＩＤを付与して、その付与されたＣＳＧ ＩＤをその家に居住する人々の端末のａｌｌｏｗｅｄ ＣＳＧリストに加えて、フェムトにアクセスする端末を制御することである。
【０００３】
上記のようにＣＳＧ ＩＤを有するＨｅＮＢを含むネットワークのコントロールノードの構成を図１及び図３に例示する。
【０００４】
図１は、図３に係るＣＳＧ ＩＤを有するＨｅＮＢを含むネットワーク制御ノードの設定方法を示した図面である。
【０００５】
図１を参照すれば、マクロｅＮＢ１(１７)及びマクロｅＮＢ２(２０)はＣＳＧ ＩＤを有することができない。また、各ＨｅＮＢ１５、１６、１８、１９はＭＭＥ１１、１２と接続されることができるＣＳＧ ＩＤを有することができる。ＭＭＥ１１、１２はＨＳＳ１０と接続されることができる。ＭＭＥへの接続は、ＨｅＮＢ１５、１６、１８が用いるＨｅＮＢゲートウェー(ＧＷ；１３、１４)を通じて実行されることができ、ＨｅＮＢ ＧＷの介入無しにＨｅＮＢ１９はＭＭＥ１２と接続されることができる。実施形態はＨｅＮＢがＭＭＥで接続される際、ＨｅＮＢ ＧＷを通じて接続されるのか否かに関らず実行されることができる。
【０００６】
同様に図３を参照すれば、ＣＳＧ ＩＤを有しないマクロ ｅＮＢとＣＳＧ ＩＤを有するＨｅＮＢは共にＭＭＥと接続される。ＭＭＥへの接続はＨｅＮＢ３(１８、３８)で見るようにＨｅＮＢ ＧＷを通じることもでき、ＨｅＮＢ４(１９、３９)で見るようにＨｅＮＢを通じないことができる。ＨｅＮＢとＭＭＥの接続がＨｅＮＢ ＧＷを通じる場合とそうではない場合、共に本発明に係るプロシージャには影響ないので、プロシージャ(ｐｒｏｃｅｄｕｒｅ)の説明ではＨｅＮＢ ＧＷの記述は省略する。
【０００７】
上記のようなネットワークで従来技術に伴う際、生ずることができる問題を図２及び図４に示す。
【０００８】
図２は、図１のように構成されたネットワークでハンドオーバープロシージャを示した図面である。ここで、 端末２１とＨＳＳ１０の設定(ｃｏｎｆｉｇｕｒａｔｉｏｎ)はａｌｌｏｗｅｄ ＣＳＧ ｌｉｓｔs = (ＰＬＭＮＡ、(ＣＳＧ１、ＣＳＧ２))、(ＰＬＭＮＢ、(ＣＳＧ１、ＣＳＧ３))}をもって、ＰＬＭＮ ＡとＰＬＭＮ Ｂはｅｑｕｉｖａｌｅｎｔ ＰＬＭＮである。このような状態で、端末２１がＰＬＭＮ ＡのＭＭＥ１(１１)でＡＴＴＡＣＨ又はＴＲＡＣＫＩＮＧ ＡＲＥＡ ＵＰＤＡＴＥ リクエストを送ると、ステップ１０１．aでＭＭＥ１(１１)はＡＴＴＡＣＨとＴＡＵを処理しながらＨＳＳへＬｏｃａｔｉｏｎ Ｕｐｄａｔｅ Ｒｅｑｕｅｓｔを送って、現在端末を管理するＭＭＥで自己を登録しながら、端末の加入(サブスクリブション)情報を得る。このサブスクリブション情報にはｒｅｇｉｓｔｅｒｅｄ ＰＬＭＮであるＰＬＭＮ ＡのＣＳＧリストが加えられてＭＭＥ１(１１)へ伝達する(ステップ１０１．ｂ)。このような登録手続きが終了された後、ＰＬＭＮ ＢのＣＳＧリストがアップデートされて、ＣＳＧ１がＰＬＭＮ ＢのＣＳＧリストで削除されることがある(ステップ１０３)。このようなＨＳＳのＣＳＧリストアップデート状況は端末でもＯＭＡ-ＤＭを通じて伝達するのに、ＯＭＡ-ＤＭを利用した端末内のａｌｌｏｗｅｄ ＣＳＧリストアップデート実行時点がＨＳＳアップデート時点と正確に同期化されないので、ＯＭＡ-ＤＭが実行するまでＨＳＳのａｌｌｏｗｅｄ ＣＳＧリストに限ってアップデートされて端末内のａｌｌｏｗｅｄ ＣＳＧリストはアップデートされないｕｎ-ｓｙｎｃｈｒｏｎｉｚａｔｉｏｎ状態が生ずる。このような状況で、端末が図１のＨｅＮＢ３に近く移動することができる(ステップ１０２)。このようにａｌｌｏｗｅｄ ＣＳＧリストのｕｎ-ｓｙｎｃｈｒｏｎｉｚａｔｉｏｎ状態で端末が移動すると、端末はアップデートされないａｌｌｏｗｅｄ ＣＳＧリストを基づいてｍｅａｓｕｒｅｍｅｎｔ ｒｅｐｏｒｔを実行する。すなわち、端末はＨｅＮＢ３(１８)のＣＳＧ ＩＤが端末内の当該のＰＬＭＮのａｌｌｏｗｅｄ ＣＳＧリストに存在するのかチェックする。ＨｅＮＢ３(１８)のＣＳＧ ＩＤはＣＳＧ１であり、端末のＰＬＭＮＢのＣＳＧリストにＣＳＧ１が存在するのでチェック結果はツルー（ｔｒｕｅ)となり、端末はＨｅＮＢ３のセルであるＣＳＧ１セルを現在サービングセルであるｅＮＢ１へリポートする(ステップ１０４)。リポートを受けるｅＮＢ１(１７)はｅｑｕｉｖａｌｅｎｔ ＰＬＭＮに対する情報と、端末によりリポートされたＣＳＧ ｍｅｍｂｅｒｓｈｉｐとを計り、他のＰＬＭＮのターゲットＣＳＧセルでｉｎｔｅｒ-ＰＬＭＮハンドオーバー進行を決定して、 ＵＥ１(２１)をＰＬＭＮＢのＣＳＧ１へハンドオーバー進行を判定してＭＭＥ１(ＰＬＭＮＡ)へＨａｎｄｏｖｅｒ Ｒｅｑｕｉｒｅｄ ｍｅｓｓａｇｅを送る(ステップ１０５)。これを受信したＭＭＥ１(１１)は、ターゲットＰＬＭＮＢのａｌｌｏｗｅｄリストではない、ＨＳＳから１０１．ｂで受けたＰＬＭＮ Ａのａｌｌｏｗｅｄ ＣＳＧリストを基づいてハンドオーバーを判定する。ターゲットセルのＣＳＧＩ IＤであるＣＳＧ１は、ＰＬＭＮＡのａｌｌｏｗｅｄ ＣＳＧリストに存在するので、ＭＭＥは端末がＣＳＧ１を��クセスする権限があると判定してＰＬＭＮ ＢがＰＬＭＮ Ａのｅｑｕｉｖａｌｅｎｔ ＰＬＭＮであることも判定した後、ターゲットＭＭＥであるＭＭＥ２(１２)へｆｏｒｗａｒｄ ｒｅｌｏｃａｔｉｏｎ Ｒｅｑｕｉｒｅｄを送ってハンドオーバーを実行する(ステップ１０６)。これを受信したターゲットＭＭＥであるＭＭＥ２(１２)は、ｓｏｕｒｃｅ ＰＬＭＮであるＰＬＭＮ Ａのｅｑｕｉｖａｌｅｎｔ ＰＬＭＮなので、やっぱりＨａｎｄｏｖｅｒ ｐｒｅｐａｒａｔｉｏｎプロシージャを共に実行して(ステップ１０７)、Ｈａｎｄｏｖｅｒ ｅｘｅｃｕｔｉｏｎプロシージャも共に実行されて端末はＨｅＮＢ３(１８)にハンドオーバーされる(ステップ１０８)。ハンドオーバーが完了された後、ＰＬＭＮの変化によりＴＡが変化されるので端末はｔｒａｃｋｉｎｇ ａｒｅａ Ｕｐｄａｔｅを新しいＭＭＥであるＭＭＥ２(１２)へ送信する(ステップ１０９)。これを受信したＭＭＥ２(１２)はＴｒａｃｋｉｎｇ Ａｒｅａ Ｕｐｄａｔｅ実行のためのＨＳＳ(１０)でｌｏｃａｔｉｏｎ Ｕｐｄａｔｅ ｒｅｑｕｅｓｔを実行してＭＭＥ２(１２)を端末を管理するＭＭＥで登録してＰＬＭＮ Ｂのａｌｌｏｗｅｄサブスクリブションｌｉｓｔ= (ＣＳＧ３)を含むサブスクリブションデータを受信する(ステップ１１１)。ところが、この時、受信したＰＬＭＮ Ｂのａｌｌｏｗｅｄ ＣＳＧリストにはＣＳＧ１が含まれない。したがって、端末のＴｒａｃｋｉｎｇ Ａｒｅａ Ｕｐｄａｔｅ リクエストはリジェクトされ(ステップ１１３)、 端末はｕｎｒｅｇｉｓｔｅｒｅｄ ｓｔａｔｅとなる。すなわち、図１のようなネットワーク構成において、図２のようなプロシージャによって端末はハンドオーバーされてからネットワーク接続の切れる現象が生ずる。
【０００９】
図４は図３のように構成されたネットワークにおいてハンドオーバープロシージャを示した図面である。図４を参照すれば、ここで、端末４１とＨＳＳ３０のｃｏｎｆｉｇｕｒａｔｉｏｎはａｌｌｏｗｅｄ ＣＳＧ ｌｉｓｔs = (ＰＬＭＮＡ、(ＣＳＧ１、ＣＳＧ２))、(ＰＬＭＮＢ、(ＣＳＧ２、ＣＳＧ３))}をもって、ＰＬＭＮ ＡとＰＬＭＮ Ｂはｅｑｕｉｖａｌｅｎｔ ＰＬＭＮである。このような状態で端末４１がＰＬＭＮ ＡのＭＭＥ１(３１)へＡＴＴＡＣＨ又はＴｒａｃｋｉｎｇ Ａｒｅａ Ｕｐｄａｔｅ リクエストを送ると(ステップ２０１)、そのＭＭＥ１(３１)はＡＴＴＡＣＨとＴＡＵを処理しながらＨＳＳ(３０)へＬｏｃａｔｉｏｎ Ｕｐｄａｔｅ Ｒｅｑｕｅｓｔを送って(２０１．a)、現在端末を管理するＭＭＥで自己を登録しながら、端末のサブスクリブション情報を得る(ステップ２０１．ｂ)。このサブスクリブション情報にはｒｅｇｉｓｔｅｒｅｄ ＰＬＭＮであるＰＬＭＮ ＡのＣＳＧリストが含まれてＭＭＥ１(３１)へ伝達する(ステップ２０１．ｂ)。このような状況で、端末がＨｅＮＢ４(３８)に近く移動することができる(ステップ２０２)。端末は記されたａｌｌｏｗｅｄ ＣＳＧリストを基づいてｍｅａｓｕｒｅｍｅｎｔ ｒｅｐｏｒｔを実行する。すなわち、端末はＨｅＮＢ４(３８)のＣＳＧ ＩＤが端末内の当該のＰＬＭＮのａｌｌｏｗｅｄ ＣＳＧリストに存在するのかチェックする。ＨｅＮＢ４(３８)のＣＳＧ ＩＤはＣＳＧ３であり、端末のＰＬＭＮ ＢのＣＳＧリストにＣＳＧ３が存在するのでチェック結果はツルーとなり、端末はＨｅＮＢ４（３８）のセルであるＣＳＧ３セルを現在サービングセルであるｅＮＢ１（３７）へリポートする(ステップ２０４)。リポートを受けるｅＮＢ１(３７)は端末がリポートしたｍｅｍｂｅｒｓｈｉｐ情報とｅｑｕｉｖａｌｅｎｔ ＰＬＭＮに対する情報を利用して他のＰＬＭＮのＣＳＧセルへのｉｎｔｅｒ-ＰＬＭＮハンドオーバーを決定してＭＭＥ１（３１）(ＰＬＭＮＡ)へＨａｎｄｏｖｅｒ Ｒｅｑｕｉｒｅｄ ｍｅｓｓａｇｅを送る(ステップ２０５)。これを受信したＭＭＥ１(３１)はターゲットＰＬＭＮＢのａｌｌｏｗｅｄリストではない、ＨＳＳからステップ２０１．ｂで受けたＰＬＭＮ Ａのａｌｌｏｗｅｄ ＣＳＧリストを基づいてハンドオーバーを決定する。ターゲットセルのＣＳＧＩ IＤであるＣＳＧ３はＰＬＭＮ Ａのａｌｌｏｗｅｄ ＣＳＧリストに存在しないので、実際では端末がＣＳＧ３でハンドオーバーされることができるにも関らず、 端末がＣＳＧ３をアクセスする権限がないと判定して、ハンドオーバーをリジェクトする（ステップ２０７）。その結果、端末はチャンネル状態が良いＨｅＮＢ４を利用することができるにも関らず、これを利用することができずにｅＮＢで低いチャンネル状態でサービスを受ける。
【００１０】
すなわち、図３のようなネットワーク構成において、 図４のようなプロシージャによって端末はハンドオーバーが可能な所でハンドオーバーされず通信の切れる現象が生ずることである。
【発明の概要】
【発明が解決しようとする課題】
【００１１】
上記のように、従来技術ではハンドオーバーが完了された後、ネットワークの接続が切れ、さらに、図３のようなネットワーク構成において、 図４のようなプロシージャによって端末は通信のハンドオーバーが可能な所でハンドオーバーされず通信の切れる現象が発生するという不具合がある。
【課題を解決するための手段】
【００１２】
本発明の一実施形態によれば、不適正なネットワーク又は遮断されたハンドオーバーに実行されるハンドオーバー決定を防止することができるアクセス制御方法及び装置を提供することができる。 
【００１３】
本発明の一実施形態によれば、ＭＭＥが端末のサブスクリブション情報を受信する方法は、 上記端末の位置アップデートリクエストメッセージをＨＳＳに送信するステップ；及び上記ＨＳＳから上記端末のサブスクリブション情報を含む位置アップデート確認メッセージを受信するステップを含み、上記位置アップデートリクエストメッセージは、上記端末に対して上記ＭＭＥがｉｎｔｅｒ-ＰＬＭＮハンドオーバーをサポートすることができるｅｑｕｉｖａｌｅｎｔ ＰＬＭＮに対するリストを含むことを特徴とする。
【００１４】
本発明の他の実施形態によれば、ＨＳＳが端末のサブスクリブション情報を送信する方法は、上記端末の位置アップデートリクエストメッセージをＭＭＥから受信するステップ；及び上記ＭＭＥに上記端末のサブスクリブション情報を含む位置アップデート確認メッセージを送信するステップを含み、上記位置アップデートリクエストメッセージは、 上記端末に対して上記ＭＭＥがｉｎｔｅｒ-ＰＬＭＮハンドオーバーをサポートすることができるｅｑｕｉｖａｌｅｎｔ ＰＬＭＮに対するリストを含むことを特徴とする。
【００１５】
本発明の他の実施形態によれば、端末のサブスクリブション情報を受信するＭＭＥは、基地局又はＨＳＳと信号を送受信するトランシーバ；及び上記端末の位置アップデートリクエストメッセージを上記ＨＳＳに送信して、上記 ＨＳＳから上記端末のサブスクリブション情報を含む位置アップデート確認メッセージを受信するように制御する制御部を含み、上記位置アップデートリクエストメッセージは、上記端末に対して上記ＭＭＥがｉｎｔｅｒ-ＰＬＭＮハンドオーバーをサポートすることができるｅｑｕｉｖａｌｅｎｔ ＰＬＭＮに対するリストを含むことを特徴とする。
【００１６】
本発明の他の実施形態によれば、端末のサブスクリブション情報を送信するＨＳＳは、ＭＭＥと信号を送受信するトランシーバ；及び上記端末の位置アップデートリクエストメッセージを上記ＭＭＥから受信して、 上記ＭＭＥに上記端末のサブスクリブション情報を含む位置アップデート確認メッセージを送信するように制御する制御部を含み、上記位置アップデートリクエストメッセージは、上記端末に対して上記ＭＭＥがｉｎｔｅｒ-ＰＬＭＮハンドオーバーをサポートすることができるｅｑｕｉｖａｌｅｎｔ ＰＬＭＮに対するリストを含むことを特徴とする。
【発明の効果】
【００１７】
本発明によれば、ＣＳＧセルへのｉｎｔｅｒ-ＰＬＭＮハンドオーバー制御方法及び装置を提供することができる。 
【図面の簡単な説明】
【００１８】
【図１】ＣＳＧ ＩＤを有するＨｅＮＢを含むネットワークコントロールノードの構成例を示した図面である。
【図２】図１の構成におけるハンドオーバープロシージャを示した図面である。
【図３】ＣＳＧ ＩＤを有するＨｅＮＢを含むネットワークコントロールノードの他の構成例を示した図面である。
【図４】図３の構成におけるハンドオーバープロシージャを示した図面である。
【図５】本発明の実施形態によるネットワーク構造を示した図面である。
【図６】本発明の他の実施形態によるハンドオーバープロシージャを示した図面である。
【図７】本発明の他の実施形態によるハンドオーバープロシージャを示した図面である。
【図８】本発明の他の実施形態によるハンドオーバープロシージャを示した図面である。
【図９】図８に図示するハンドオーバープロシージャの追加オプションを示した図面である。
【図１０】本発明の実施形態によるＭＭＥの動作を説明するための図面である。
【図１１】本発明の実施形態によるＨＳＳの動作を説明するための図面である。
【発明を実施するための形態】
【００１９】
本明細書において、ｅｑｕｉｖａｌｅｎｔ ＰＬＭＮ(Ｐｕｂｌｉｃ Ｌａｎｄ Ｍｏｂｉｌｅ Ｎｅｔｗｏｒｋ)とは、特定ＭＭＥが任意の端末に対してハンドオーバーをサポートすることができるＰＬＭＮの集合を意味する。
【００２０】
ひいては、本明細書においてｉｎｔｅｒ-ＰＬＭＮハンドオーバーとは、上記ｅｑｕｉｖａｌｅｎｔ ＰＬＭＮの間で発生するハンドオーバーを意味する。
【００２１】
以下、 添付の図面を参照して本発明の好ましい実施形態を詳しく説明する。この際、添付された図面で同一構成要素は可能な同一符号に示していることに留意すべきである。また本発明の要旨を不明瞭にする公知機能及び構成に対する詳細な説明は省略する。
【００２２】
図５は、本発明の実施形態によるネットワーク構造を示した図面である。
【００２３】
図５を参照すれば、実施形態の通信ネットワークは{(ＰＬＭＮＡ、(ＣＳＧＩｄ１、ＣＳＧＩｄ２))、(ＰＬＭＮＢ、(ＣＳＧＩｄ２、ＣＳＧＩｄ３))、(ＰＬＭＮＣ、(ＣＳＧＩｄ１、ＣＳＧＩｄ２))、(ＰＬＭＮＤ、(ＣＳＧＩｄ１、ＣＳＧＩｄ２))、(ＰＬＭＮＥ、(ＣＳＧＩｄ１、ＣＳＧＩｄ２))}の許容されたＣｌｏｓｅｄ Ｓｕｂｓｃｒｉｂｅｒ Ｇｒｏｕｐｓ(ＣＳＧｓ)を持っているＨＳＳ５６を含むことができる。上記通信ネットワークはＭＭＥ１(５３)をもっと含むことができ、ＵＥ(５１)にサービスを提供するｅＮＢ１(５２)を含むことができる。上記通信ネットワークは、さらにＭＭＥ２(５４)及びＵＥ(５１)がＨｅＮＢ４(５５)のカバレージ領域へ入ったり、ＨｅＮＢ４(５５)が相違するように選択される場合サービスを提供するＨｅＮＢ４(５５)をもっと含むことができる。上記図５に記述されたようにＨｅＮＢ４(５５)とＭＭＥ２(５4)間の接続はＨｅＮＢゲートウェー(ＧａｔｅＷａｙ、ＧＷ)を含むことができる。しかし、上記ＨｅＮＢ ＧＷは以後に説明した実施形態の技術に影響を与えないことがある。
【００２４】
図６乃至図８は、本発明の他の実施形態によるハンドオーバープロシージャを示した図面である
【００２５】
図６を参照すれば、端末であるＵＥ１(５１)がＡｔｔａｃｈ／Ｔｒａｃｋｉｎｇ Ａｒｅａ Ｕｐｄａｔｅを実行する際、ＨＳＳ５６はＨＳＳ５６に記憶されたすべてのＣＳＧリストを送信する。すなわち、端末５１のＡｔｔａｃｈとＴｒａｃｋｉｎｇ Ａｒｅａ Ｕｐｄａｔｅ プロシージャを実行する際(ステップ３０１)、ＭＭＥがＵｐｄａｔｅ ｌｏｃａｔｉｏｎ ｒｅｑｕｅｓｔをＨＳＳ５６に送ると(ステップ３０１．ａ)、ＨＳＳは端末のサブスクリブションに記憶されたすべてのＰＬＭＮのａｌｌｏｗｅｄ ＣＳＧリストを送る(ステップ３０１．ｂ) このような状況で、端末５１がＨｅＮＢ４(５５)に近く移動することができる(ステップ３０３)。 この場合、端末５１はＨｅＮＢ４のＣＳＧ IＤセルを現在サービングセルであるｅＮＢ１(５２)へリポートする(ステップ３０４)。 これを受信したＭＭＥ１(５３）はｅＮＢからＨａｎｄｏｖｅｒ Ｒｅｑｕｉｒｅｄを受けた時(ステップ３０５)、３０１．ｂで受けたａｌｌｏｗｅｄ ＣＳＧリストのうちでターゲット ＰＬＭＮに該当するリストにターゲット ＣＳＧ ＩＤが存在するのか確認した後(ステップ３０６)、 存在する場合にだけハンドオーバープロジージャを進行させて(３０７．ｂ)、存在しない場合にはハンドオーバーをリジェクトする(ステップ３０７．a)。
【００２６】
他の実態形態は、ＨＳＳからＭＭＥ１へ送信されるサブスクリブションデータを増やす結果をもたらす。このデータを量を減らすためには不必要なａｌｌｏｗｅｄ ＣＳＧリストはＭＭＥに移動してはいけない。ｉｎｔｅｒ-ＰＬＭＮハンドオーバーはｅｑｕｉｖａｌｅｎｔ ＰＬＭＮ間に限って起きるので、ｅｑｕｉｖａｌｅｎｔ ＰＬＭＮではないＰＬＮのａｌｌｏｗｅｄ ＣＳＧリストは不必要な情報なので、ｅｑｕｉｖａｌｅｎｔ ＰＬＭＮのａｌｌｏｗｅｄ ＣＳＧリストに限ってＨＳＳがＭＭＥ１で提供する。その過程は図７の実施形態に記述する。
【００２７】
図７を参照すれば、端末のＡｔｔａｃｈとＴＡＵプロシージャを実行する時(ステップ４０１)、ＭＭＥ１(５３)がＵｐｄａｔｅ ｌｏｃａｔｉｏｎ ｒｅｑｕｅｓｔをＨＳＳ５６へ送る時、ｅｑｕｉｖａｌｅｎｔ ＰＬＭＮをパラメーターへ共に送る(ステップ４０１.a)。ｅｑｕｉｖａｌｅｎｔ ＰＬＭＮリストを受けたＨＳＳ５６は端末のサブスクリブションに記憶されたＰＬＭＮのａｌｌｏｗｅｄ ＣＳＧリストのうちでｅｑｕｉｖａｌｅｎｔ ＰＬＭＮのａｌｌｏｗｅｄ ＣＳＧリストのみを送る(ステップ４０１.ｂ)。ＨＳＳ５６に保持されたａｌｌｏｗｅｄ ＣＳＧ ｌｉｓｔs = {(ＰＬＭＮＡ、(ＣＳＧＩＤ１、ＣＳＧＩＤ２))、(ＰＬＭＮＢ、(ＣＳＧＩＤ２、ＣＳＧＩＤ３))、(ＰＬＭＮＣ、(ＣＳＧＩＤ１、ＣＳＧＩＤ２))、(ＰＬＭＮＤ、(ＣＳＧＩＤ１、ＣＳＧＩＤ２))、(ＰＬＭＮE、(ＣＳＧＩＤ１、ＣＳＧＩＤ２))}でｅｑｕｉｖａｌｅｎｔ ＰＬＭＮに該当するＰＬＭＮＡとＰＬＭＮＢのａｌｌｏｗｅｄ ＣＳＧ ｌｉｓｔである{(ＰＬＭＮＡ、(ＣＳＧＩＤ１、ＣＳＧＩＤ２))、(ＰＬＭＮＢ、(ＣＳＧＩＤ２、ＣＳＧＩＤ３))}だけＭＭＥ１(５３)に送信することである。このような状況で、端末５１がＨｅＮＢ４(５５)に近く移動することができる(ステップ４０３)。この場合、端末５１はＨｅＮＢ４のＣＳＧ IＤセルを現在サービングセルであるｅＮＢ１(５２)へリポートする(ステップ４０４)。これを受信したＭＭＥ１(５３)はｅＮＢからＨａｎｄｏｖｅｒ Ｒｅｑｕｉｒｅｄを受けた時(ステップ４０５)、４０１．ｂで受けたａｌｌｏｗｅｄ ＣＳＧリストのうちでターゲットＰＬＭＮに該当するリストにターゲットＣＳＧ ＩＤが存在するのか確認した後、存在する場合にだけハンドオーバープロシージャを進行させて(ステップ４０７．ｂ)、 存在しない場合にはハンドオーバーをリジェクトする(ステップ４０７．a)。
【００２８】
図７の実態形態は、ＨＳＳからＭＭＥに移動するサブスクリブションデータ量を図６の実施形態よりは減らすが、ｅｑｕｉｖａｌｅｎｔ ＰＬＭＮの間のＣＳＧリストを共にｉｄｅｎｔｉｃａｌするように設定して問題を解決することをサポートするのに不必要なデータ送信でデータ量を増やす結果をもたらす。したがって、図８の実施形態のようにｅｑｕｉｖａｌｅｎｔ ＰＬＭＮに対して同一のａｌｌｏｗｅｄ ＣＳＧリストが設定された場合、これを知らせるｆｌａｇのみを送信する。すなわち、ｉｎｔｅｒ-ＰＬＭＮハンドオーバーが実行されるｅｑｕｉｖａｌｅｎｔ ＰＬＭＮのａｌｌｏｗｅｄ ＣＳＧリストが共に同一に設定された場合、ＨＳＳをｒｅｇｉｓｔｅｒｅｄ ＰＬＭＮのａｌｌｏｗｅｄ ＣＳＧリストとｅｑｕｉｖａｌｅｎｔ ｆｌａｇだけ提供する。これを受信したＭＭＥはｆｌａｇがある場合にはｒｅｇｉｓｔｅｒｅｄ ＰＬＭＮのａｌｌｏｗｅｄ ＣＳＧリストを基づいてｉｎｔｅｒ-ＰＬＭＮハンドオーバーの進行を決定して、ｆｌａｇがない場合にはＣＳＧセルへのｉｎｔｅｒ-ＰＬＭＮハンドオーバーをリジェクトする。その過程は図８の実施形態に記述する。
【００２９】
図８を参照すれば、端末５１のＡｔｔａｃｈとｔｒａｃｋｉｎｇ ａｒｅａ Ｕｐｄａｔｅプロシージャを実行する時(ステップ５０１)、ＭＭＥ１(５３）がＵｐｄａｔｅ ｌｏｃａｔｉｏｎ ｒｅｑｕｅｓｔをＨＳＳ５６に送る時、ＭＭＥはｅｑｕｉｖａｌｅｎｔ ＰＬＭＮをパラメーターへ共に送る(ステップ５０１．ａ)。ｅｑｕｉｖａｌｅｎｔ ＰＬＭＮリストを受けたＨＳＳ５６は端末のサブスクリブションに記憶されたＰＬＭＮのａｌｌｏｗｅｄ ＣＳＧリストのうちでｅｑｕｉｖａｌｅｎｔ ＰＬＭＮのａｌｌｏｗｅｄ ＣＳＧリストを確認した後、ｒｅｇｉｓｔｅｒｅｄ ＰＬＭＮであるＰＬＭＮＡのａｌｌｏｗｅｄ ＣＳＧリストとｅｑｕｉｖａｌｅｎｔ ＰＬＭＮのａｌｌｏｗｅｄ ＣＳＧリストが同一であるか、相違するのかを通知するｆｌａｇを送る(ステップ５０１．ｂ)。図５に示したようにＨＳＳに記憶されたａｌｌｏｗｅｄ ＣＳＧ ｌｉｓｔs = {(ＰＬＭＮＡ、(ＣＳＧＩＤ１、ＣＳＧＩＤ２))、(ＰＬＭＮＢ、(ＣＳＧＩＤ２、ＣＳＧＩＤ３))、(ＰＬＭＮＣ、(ＣＳＧＩＤ１、ＣＳＧＩＤ２))、(ＰＬＭＮＤ、(ＣＳＧＩＤ１、ＣＳＧＩＤ２))、(ＰＬＭＮＥ、(ＣＳＧＩＤ１、ＣＳＧＩＤ２))}でｅｑｕｉｖａｌｅｎｔ ＰＬＭＮに該当するＰＬＭＮＡとＰＬＭＮＢのａｌｌｏｗｅｄ ＣＳＧリストを比べた後、 ｒｅｇｉｓｔｅｒｅｄ ＰＬＭＮであるＰＬＭＮＡのａｌｌｏｗｅｄ ＣＳＧリストである(ＣＳＧＩＤ１、ＣＳＧＩＤ２)と比較結果ｆｌａｇ = ｆａｌｓｅをＭＭＥ１(５３)へ送る。このような状況で、端末５１がＨｅＮＢ４(５５)に近く移動することができる(ステップ５０３)。この場合、端末５１はＨｅＮＢ４のＣＳＧ IＤセルを現在サービングセルであるｅＮＢ１(５２)へリポートする(ステップ５０４)。これを受信したＭＭＥ１(５３)はｅＮＢからハンドオーバーｒｅｑｕｉｒｅｄを受けた際（ステップ５０６）、ＨＳＳ５６から受信した情報を確認する(ステップ５０７)。すなわち、そのハンドオーバーが他のＰＬＭＮのＣＳＧセルへのハンドオーバーであればｆｌａｇがｆａｌｓｅの場合はいつもリジェクトして(ステップ５０８．ａ)、ｆｌａｇがｔｒｕｅの場合にはターゲットセルのＣＳＧ ＩＤがＭＭＥ１(５３)が持っているａｌｌｏｗｅｄ ＣＳＧリストに存在する場合に限ってハンドオーバーを進行する(ステップ５０８．ｂ)。
【００３０】
図９は、図８で示されるハンドオーバープロシージャの追加オプションを示した図面である。
【００３１】
図８の実施形態ではＭＭＥがハンドオーバーｒｅｊｅｃｔｉｏｎを確認したが、 図９の実施形態ではＭＭＥがＨＳＳで送信した結果に応じてｆｌａｇ ｆｏｒ  ｉｎｔｅｒ ＰＬＭＮ ｔｏ ＣＳＧセルをｅＮＢにＵＥ ｃｏｎｔｅｘｔをｉｎｔａｌｌするｉｎｉｔｉａｌ ＵＥ Ｃｏｎｔｅｘｔ Ｓｅｔｕｐ ｒｅｑｕｅｓｔ メッセージに伝達して、これを受信したｅＮＢがターゲットが他のＰＬＭＮに属したＣＳＧセルへのハンドオーバーを開始(ｉｎｉｔｉａｔｅ)するかを決める。
【００３２】
図９を参照すれば、ステップ６０１．ｂでＨＳＳ５６から受信したｆｌａｇ値をｅＮＢ１(５２)で送信して(ステップ６０１．ｃ)、端末５１がＨｅＮＢセルをリポートしても(ステップ６０４)、ｅＮＢがＭＭＥから受信したｆｌａｇ値がｆａｌｓｅでターゲットが他のＰＬＮに属したＣＳＧセルであれば、ハンドオーバーを開始せず、ＭＭＥ１(５３)に受信したｆｌａｇが値がｔｒｕｅであり、ターゲットが他のＰＬＭＮに属したＣＳＧセルであればハンドオーバーを開始する(ステップ６０５)。以後過程は図８の例と同一である。即ち、ステップ６０６、６０７、６０８．ａ及び６０８.ｂは、ステップ５０６、５０７、５０８及び５０８．ｂと実質的に同一である。
【００３３】
図６乃至図９で示された実施形態で、ＨＳＳがｒｅｇｉｓｔｅｒｅｄ ＰＬＭＮのみを送るｌｅｇａｃｙ方式に応じてｂａｃｋｗａｒｄ ｃｏｍｐａｔｉｂｉｌｉｔｙを有するようにするために追加的に送信する情報のない場合は、 すなわち、ｒｅｇｉｓｔｅｒｅｄ ＰＬＭＮのａｌｌｏｗｅｄ ＣＳＧリストだけ送信される場合には、ＭＭＥはＣＳＧセルへの ｉｎｔｅｒ-ＰＬＭＮハンドオーバーをサポートしないことで認識してリジェクトする。
【００３４】
図１０は、本発明の実施形態によるＭＭＥの動作を説明するための図面である。
【００３５】
ステップ１０１０でＭＭＥは、端末からＡＴＴＡＣＨ又はＴｒａｃｋｉｎｇ Ｕｐｄａｔｅ リクエストを受信する。以後、ＭＭＥはステップ１０２０でＨＳＳにＵｐｄａｔｅ ｌｏｃａｔｉｏｎ ｒｅｑｕｅｓｔを送信する。この時、ＭＭＥは前述したように、ｅｑｕｉｖａｌｅｎｔ ＰＬＭＮに対するパラメーターを含んで送信することができる。
【００３６】
ステップ１０３０でＭＭＥはＨＳＳからＵｐｄａｔｅ ｌｏｃａｔｉｏｎ Ａｃｋを受信する。この時、ＭＭＥは前述したように、ｅｑｕｉｖａｌｅｎｔ ＰＬＭＮのａｌｌｏｗｅｄ ＣＳＧリストを含んで受信することができる。
【００３７】
ステップ１０４０でＭＭＥがｅＮＢからＨａｎｄｏｖｅｒ ｒｅｑｕｅｓｔを受信すれば、ステップ１０５０でＭＭＥは先に受信したａｌｌｏｗｅｄ ＣＳＧリストのうちで、 ターゲットＰＬＭＮに該当するリストにターゲットＣＳＧ ＩＤが存在するのか確認する。
【００３８】
存在する場合には、ステップ１０６０でＭＭＥはハンドオーバー手続きを進行するが、存在しない場合には、ステップ１０７０でハンドオーバーをリジェクトする。
【００３９】
図１１を参照すれば、本発明の実施形態によるＨＳＳの動作を説明するための図面である。
【００４０】
ステップ１１１０でＨＳＳはＭＭＥからＵｐｄａｔｅ ｌｏｃａｔｉｏｎ ｒｅｑｕｅｓｔを送信する。この時、ＨＳＳは前述したように、ｅｑｕｉｖａｌｅｎｔ ＰＬＭＮに対するパラメーターを含んで受信することができる。
【００４１】
以後、ステップ１１２０でＨＳＳはＭＭＥにＵｐｄａｔｅ ｌｏｃａｔｉｏｎ Ａｃｋを送信する。この時、ＨＳＳは前述したように、ｅｑｕｉｖａｌｅｎｔ ＰＬＭＮのａｌｌｏｗｅｄ ＣＳＧリストを含んで送信することができる。
【００４２】
一方、本発明の詳細な説明では具体的な実施形態に関して説明したが、本発明の範囲から逸脱しない範囲に限ってさまざまな変形が可能である。よって、本発明の範囲は説明された実施形態に限って決定されてはならなく、後述する特許請求の範囲だけではなくこの特許請求の範囲と均等なものなどによって決まるべきである。
【符号の説明】
【００４３】
１０  ＨＳＳ
１１  ＭＭＥ１
１２  ＭＭＥ２
１３  ＨｅＮＢ  ＧＷ１
１４  ＨｅＮＢ  ＧＷ２
１５  ＨｅＮＢ１
１６  ＨｅＮＢ２
１７  ｅＮＢ１
１８  ＨｅＮＢ３
１９  ＨｅＮＢ４
２０  ｅＮＢ２
２１  ＵＥ
【図１】
0005980901.tif 000002
【図２】
0005980901.tif 000003
【図３】
0005980901.tif 000004
【図４】
0005980901.tif 000005
【図５】
0005980901.tif 000006
【図６】
0005980901.tif 000007
【図７】
0005980901.tif 000008
【図８】
0005980901.tif 000009
【図９】
0005980901.tif 000010
【図１０】
0005980901.tif 000011
【図１１】
0005980901.tif 000012